(57)【要約】本発明は、リアルタイム共同購入に基づく電子商取引の事業方式であって、複数のバイヤーが、どこで商品を選択しても一定期間中に同じ物品を購入する購入グループを自動的に組織化することを介して、商品を最も安い価格で購入できることを特徴とする電子商取引の事業方式に関する。事業方式としての本発明は以下を含むことを特徴とする方式である。即ち、１）各バイヤーと売り手の登録を含めて共同購入を準備する。２）商品を選択する。３）購入の意向を登録する。４）売り手を抽出する。５）販売情報を転送する。６）購入方式を選択する。７）購入契約を登録する。８）購入契約を取り交わす。本発明に係るリアルタイム共同購入は、バイヤーが、本発明に係る共同購入の運営担当者による相互同意や不正直な行為に起因する売り手間の相互協定、不当利得行為をその購入から防止することを可能にする。その理由は、「共同購入サーバー」を介して集められた購入量によりバイヤーグループの優位性が確立されるとともに、共同購入におけるバイヤーが、すべての売り手とその「価格を含む販売条件」検索検討することができるからである。また、本発明は、バイヤーが、Ｐ２Ｐ方式でその購入情報を共有するため、売り手の影響を克服することを可能にし、共同購入によりリアルタイムで購入することを可能にする。
2012506086.tif 000002
【特許請求の範囲】
【請求項１】
各バイヤーがどこで商品を選択しても共同購入を可能にするリアルタイム共同購入のための事業方式において、
１）組織の構成を含み、以下のステップからなる共同購入の準備ステップ：
‐  各バイヤーと売り手が本発明の共同購入のメンバーとして登録するステップ；
‐  バイヤーが当該共同購入に参加するため「クライアントモジュール」をダウンロードするステップ；
‐  売り手がその商品と「価格を含む販売条件」を登録するステップ；
２）商品選択ステップであって、バイヤーが所望する商品を以下の方法により選択する商品選択ステップ：
‐  バイヤーが、ＰＣによりインターネットを介して無作為に特定のショッピングモールにログインしてから、所望する商品を検索し選択する方法；
‐  バイヤーが、ＰＣによりインターネットを介して共同購入ショッピングモールにログインしてから、所望する商品を検索し選択する方法；
‐  バイヤーが、その所望する商品をキー入力することにより登録する方法；
３）購入の意向を登録するステップであって、バイヤーのＰＣが、『前記ステップ２）で選択した商品の名称またはＩＤ、「販売条件を含む価格」及び売り手の名称またはＩＤ』を「共同購入サーバー」に転送する購入の意向を登録するステップ：
４）売り手を抽出するステップであって、以下の過程を含むことを特徴とするステップ：
‐  「共同購入サーバー」が前記ステップ３）で登録された商品を特定する過程；
‐  「共同購入サーバー」が、「共同購入サーバー」に登録された売り手と未登録の売り手の価格をはじめとする「価格を含む販売条件」を比較する過程；
‐  「共同購入サーバー」が、「価格を含む販売条件」においてバイヤーに有利な順序で商品を販売する売り手リストを作成する過程；
５）「価格を含む販売条件」を転送するステップであって、「共同購入サーバー」が、前記ステップ４）で作成した売り手リストを含む「価格を含む販売条件」を、商品購入の意向を登録したバイヤーのＰＣに転送する「価格を含む販売条件」を転送するステップ：
６）様々な購入方式の中から１つの購入方式を選択するステップであって、バイヤーが、「共同購入」、すなわち登録された売り手から最適の売り手を選択することも、個別購入、すなわち未登録の売り手の中から１つの売り手を選択することもできることを特徴とする様々な購入方式の中から１つの購入方式を選択するステップ：
７）購入契約を登録するステップであって、前記ステップ６）で選択された、共同購入や個別購入などの結果がバイヤーのＰＣから「共同購入サーバー」に転送される購入契約を登録するステップ：
８）取引を行うための契約についてバイヤーないしは売り手に通知するステップであって、「共同購入サーバー」が、購入の意向、手数料、価格、バイヤーの配送先住所を含む共同購入取引データをバイヤーのＰＣと売り手のＰＣに転送する取引を行うための契約についてバイヤーないしは売り手に通知するステップ；を順次に含むことを特徴とする事業方式。
【請求項２】
購入の意向を登録する前記ステップ３）に変形形態が含まれ、バイヤーがその購入の意向を、
‐  バイヤーがそのＰＣで、所望する商品を共同購入モールに入れ、その後に、前記バイヤーのＰＣにより購入の意向が感知され、「かかる商品の名称」が転送される方法；
‐  バイヤーが、商品をどこで選択してもインターネットを介して所望する商品を特定のショッピングモールのショッピングカートまたは欲しい物のリストに入れ、その後に、前記バイヤーのＰＣにより購入の意向が察知され、「かかる商品の名称」、「かかる商品の価格を含む販売条件」」、及び「売り手に関する情報」が転送される方法；
‐  バイヤーがそのＰＣで、所望する商品に対する「共同購入サーバー」の購買発注を作成し、その後に、前記バイヤーのＰＣにより、選択された商品の名称が転送される方法；の中の１つにより登録することを特徴とする請求項１に記載の事業方式。
【請求項３】
参加する新しい売り手数を増加させるため、前記ステップ１）の共同購入準備における売り手の登録が、
‐  バイヤーが特定のショッピングモールにて商品を選択する方法；
‐  バイヤーのＰＣが当該商品の情報を「共同購入サーバー」に送信する方法；
‐  当該商品の売り手が当該共同購入メンバーとして登録されていない場合、「共同購入サーバー」は当該売り手に対し当該共同購入への参加を提案する電子メールを自動的に送信する方法；
‐  当該提案を受信する売り手は、当該提案に同意する場合に登録された売り手となるが、当該提案に同意しない場合には引き続き未登録の売り手にとどまる方法；をさらにを含むことにより当該未登録の売り手を当該共同購入のメンバーとして登録を行うことができることを特徴とする請求項１に記載の事業方式。
【請求項４】
購入契約を登録する前記ステップ７）と、取引を行うための契約についてバイヤーないしは売り手に通知する前記ステップ８）に「勘定を決済するステップ」がさらに含まれ、かかる「勘定を決済するステップ」が、
１）バイヤーにより選択された方式が共同購入である場合、その選択された方式（結果）は「共同購入サーバー」に転送され、さらにバイヤーは商品に対する支払を、購入契約を登録する前記ステップ７中に「共同購入サーバー」の運営を担当する「仲介者」に送金し、
２）「共同購入サーバー」は、バイヤーが取引を行うために契約のバイヤーないしは売り手に通知する前記ステップ８中に商品を受け取ったことを「共同購入サーバー」に通知する時点で、共同購入の手数料を考慮に入れて売り手との勘定を決済することを含むことを特徴とする請求項１に記載の事業方式。
【請求項５】
共同購入準備の前記ステップ１）、商品とサービスの登録に変形形態が含まれ、売り手が「各バイヤーに対する各商品の各価格」を一定期間の購入量ないしは購入頻度に応じて異なる価格で登録することを特徴とする請求項１に記載の事業方式。
【請求項６】
前記ステップ１）の共同購入準備、登録、売り手の登録に変形形態が含まれ、そこでは、「共同購入サーバー」を営む運営担当者自身が売り手として登録することを特徴とする請求項１に記載の事業方式。
【請求項７】
前記ステップ１）の共同購入準備、バイヤーの登録に変形形態が含まれ、そこでは、一部のバイヤーが、
‐  特定のバイヤーが、一部の商品カテゴリーおける特定のグループを代行して、共同購入仲介者として登録すること；
‐  当該サブグループに加入することを望むバイヤーが、共同購入の当該サブグループのメンバーとして登録すること；
‐  当該サブグループのメンバーとして登録したバイヤーが商品を購入し、その場合、「共同購入サーバー」が当該購入を当該サブグループによる購入として見なされること；を含む共同購入のサブグループとして登録することを特徴とする請求項１に記載の事業方式。
【請求項８】
以前に登録された売り手を保護するために、前記ステップ５）の「価格を含む販売条件」の転送に、
‐  登録された売り手の中で、その登録が規定の期間存続しない売り手は、前記ステップ５）では売り手リスト中に表示されないこと；
‐  または、未登録の売り手の中で、バイヤーにより選択された売り手のみを、前記ステップ５）で売り手リスト中に表示すること；を含む変形形態が含まれることを特徴とする請求項１に記載の事業方式。
【発明の詳細な説明】
【技術分野】
【０００１】
本発明は、リアルタイム共同購入に基づく電子商取引の事業方式であって、複数のバイヤーが、どこで商品を選択しても一定期間中に同じ物品を購入する購入グループを自動的に組織化することによって、商品を最も安い価格で購入できることを特徴とする電子商取引の事業方式に関する。
【背景技術】
【０００２】
従来の共同購入方式には２つの種類がある。その１つは、企業、協同組合、組合などのオフライングループを組織化することによる方式である。他の１つはインターネット共同購入による方式である。
【０００３】
企業、協同組合、組合などのオフライングループを組織化することによる当該方式では、グループ化による１チャンネルを介して他の大多数の複数のバイヤーよりもはるかに多くの量を購入できる一部の大バイヤーは、商品をより安く購入することができる（以下、『商品』は『商品及びサービス』を意味するものとする）。その理由は、かかる大バイヤーは売り手を競合させる影響力があるためである。企業、協同組合、または組合は多くの関連会社やメンバーを有する。
【０００４】
最近になって、インターネットを利用する別の共同購入方式が出現している。インターネット共同購入による当該方式は以下の特徴がある。
【０００５】
１）共同購入仲介者（通常、共同購入仲介運営担当者は共同購入サーバー運営担当者と同じ）が、複数のバイヤーを集めて総購入量が一定の基準を超えるようにする。
【０００６】
２）前記仲介者は商品をより安く見積もる売り手を抽出する。
【０００７】
３）複数のバイヤーが前記売り手を介して購入を行う。
【０００８】
当該従来の共同購入方式には以下の問題がある。
【０００９】
１）バイヤーは、売り手、特にＢ２Ｂ売り手が、その共同購入に対する割引価格をはじめとする「価格を含む販売条件」を開示することに消極的であるために真の最低価格を知ることができないばかりか、売り手相互間の癒着を回避することができない。
【００１０】
２）オフライン共同購入仲介者は少数であり、参加する売り手が限られているため、あまりにも多数の売り手の中から最適な売り手を抽出することができないばかりか、バイヤーは売り手と前記共同購入運営担当者間の癒着を回避することができない。
【００１１】
３）一部のバイヤーがインターネットを介して共同購入による購入を行う場合、オフライン共同購入による購入を所望するバイヤーは、十分な購入量が確保できるまで待たなくてはならないためにリアルタイムで購入することができないばかりか、共同購入での不正行為を防止するために共同購入仲介者を監視し続けることはできない。
【００１２】
４）少数の共同購入仲介者は、各商品別にすべての価格を検索検討することが必要であるが、商品の種類が多すぎるため世界の最適な売り手を検索検討することができない。
【発明の概要】
【発明が解決しようとする課題】
【００１３】
従って、従来の共同購入方式には上記のような問題点があることから、共同購入の新規発明は以下の利点を備えていなければならない。
【００１４】
１）かかる価格の隠蔽、癒着のような売り手の抵抗を克服できること。
【００１５】
２）共同購入仲介者を継続して監視できることと、共同購入運営担当者なしに共同購入によるを購入を行えること。
【００１６】
３）共同購入のバイヤーがリアルタイムで購入できることと、バイヤーが共同購入と個別購入とを区別できないこと。
【００１７】
４）バイヤーが所望するあらゆる商品を種類の制限なしに購入できること。
【課題を解決するための手段】
【００１８】
上記技術的課題を解決するために、本発明は以下の準備を必要とする。
【００１９】
バイヤーが、一種のコンピュータプログラムであるクライアントモジュールをそのＰＣにインストールすること。
【００２０】
本発明に係る共同購入を運営する仲介者が共同購入サーバーを設置すること。
【００２１】
売り手が、その情報、商品及び「価格を含む販売条件」を「共同購入サーバー」に登録すること。
【００２２】
各準備は以下のように機能する。
【００２３】
バイヤーのＰＣにインストールされたクライアントモジュールは、「共同購入サーバー」とデータ通信を行い、当該データを各バイヤーまたは売り手のＰＣ上に表示させ、ここで、当該データは本発明による電子商取引に必要な指示、情報、及び処理の結果を意味することを特徴とする。
【００２４】
前記共同購入サーバー（以下、「共同購入サーバー」という）は、各バイヤーと売り手のＰＣから入力を収集し、分析による統計結果を生成し、電子商取引の各ステップごとの情報または指示を各バイヤーと売り手のＰＣに転送し、本発明による電子商取引に必要なその他の機能を果たす。
【００２５】
本発明は以下の機能を含む。
【００２６】
１．特定のバイヤーが特定のショッピングモールにおけるいくつかの商品を選択することでその購入の意向が明らかになり、かかるバイヤーのＰＣが、前記仲介者により運営される「共同購入サーバー」にすでに接続されている場合、かかる購入の意向は「共同購入サーバー」に転送される。
【００２７】
ここで、特定のショッピングモールには、前記共同購入の仲介者により経営される共同購入モール、前記「共同購入サーバー」に登録された売り手により経営されるショッピングモール（以下、「登録された売り手」という）、及び「共同購入サーバー」に未登録の売り手により経営されるショッピングモールが含まれることを特徴とする。
【００２８】
２．特定のバイヤーが、「共同購入サーバー」に未登録の売り手により経営される特定のショッピングモール（以下、「未登録の売り手」という）における商品を選択する場合、その選択された商品の価格を含む販売情報と、「登録された売り手」の未登録価格は「共同購入サーバー」に転送される。
【００２９】
３．「共同購入サーバー」は、その選択された商品を販売する売り手リストを最低価格などの「価格を含む販売条件」においてバイヤーに有利な順序で抽出し、それを前記登録されたバイヤーのＰＣに転送し、次いで「共同購入サーバー」は、購入の意向と一定期間の購入記録を含む購入情報を前記登録された売り手のＰＣに転送する。
【００３０】
４．市場状況が分かるようになるバイヤーは、「登録された売り手」からの共同購入または未登録の売り手からの購入を含む最適な売り手を選択する。
【００３１】
５．前記バイヤーが共同購入を選択する場合、前記バイヤーのＰＣはその選択を登録し、
「共同購入サーバー」は、契約と支払方法、配送先、銀行口座番号など「契約の取引データ」について「共同購入サーバー」が前記バイヤーのＰＣと前記売り手のＰＣに通知することを含む契約の取引を行う。
【００３２】
６．「共同購入サーバー」は、手数料やマイル数の計算を含むバイヤーと売り手の勘定の決済を行う。
【発明の効果】
【００３３】
本発明に係るリアルタイム共同購入事業方式は、分散した複数のバイヤーを集めることにより大きな購買力を生み出すので、売り手を惹きつけ、低価格を見積もるように売り手に圧力をかける。
【００３４】
本発明に係る「バイヤーがどこで購入してもリアルタイム共同購入を行える事業方式」は、バイヤーにその所望する商品について様々な売り手の「価格を含む販売条件」を検索検討させるとともに、「価格を含む販売条件」を「共同購入サーバー」に転送するので、本発明により、バイヤーは様々な売り手と「価格を含む販売条件」を検討することができ、売り手間の相互協定、不当利得行為、及び共同購入サーバーの運営担当者による不正直な行為を基本的に防止することができる。
【００３５】
本発明に係るリアルタイム共同購入事業方式は、すべてのバイヤーが各バイヤーにより収集される様々な売り手の「価格を含む販売条件」をＰ２Ｐ方式で共有することを可能にする。本発明は、複数のバイヤーが、世界的な規模の市場で商品を最低価格で購入することを可能にし、売り手間の相互協定を含む売り手の影響を克服することを可能にする。
【００３６】
本発明に係るリアルタイム共同購入事業方式は、複数のバイヤーが、
共同購入の「価格を含む販売条件」について知ることを可能にすると同時に、どこで登録しても任意のショッピングモールにてその購入の意向を登録することを可能にし、どこで選択しても任意のショッピングモールにて商品選択時に共同購入によりリアルタイムで購入することを可能にする。
【００３７】
本発明に係るリアルタイム共同購入事業方式は、バイヤーが、どこで選択するに拘らず任意のショッピングモールにて商品を選択するたびにＰ２Ｐによりあらゆる商品の情報を収集するため、制限や例外なしに世界中であらゆる商品を購入することを可能にする。
【図面の簡単な説明】
【００３８】
【図１】本発明の事業方式を説明するフローチャートである。
【発明を実施するための形態】
【００３９】
本発明における用語「共同購入」は、複数のバイヤーが「共同購入サーバー」上に登録された複数の売り手から複数の商品を購入することを意味する。
【００４０】
本発明における「参加者」はバイヤー、仲介者、及び売り手からなる。
【００４１】
「仲介者」は、本発明を実現するための「共同購入サーバー」の運営担当者である。「バイヤー」は、「共同購入サーバー」との通信を自動的に行う「クライアントモジュール」を搭載したＰＣ（パーソナルコンピュータ）を利用して商品を購入する団体である。「売り手」は商品を販売する団体である。「共同購入モール」は、「共同購入サーバー」におけるインターネットショッピングモールであり、その中では「共同購入サーバーに登録された売り手」がその商品を販売する。
【００４２】
「クライアントモジュール」により「共同購入サーバー」と自動的に通信を行う特定のバイヤーが特定のショッピングモールにて所望の商品または複数の商品を選択する場合、または当該バイヤーがその購入の意向を明確に示す場合、その購入の意向は「共同購入サーバー」に転送される。当該「特定のショッピングモール」には、この共同購入サーバーの運営担当者により運営される共同購入モール、「共同購入サーバー」に登録した売り手により運営されるショッピングモール（以下、「登録された売り手」という）、及び「共同購入サーバー」に未だ登録していない売り手により運営されるショッピングモールが含まれる。
【００４３】
バイヤーが「共同購入サーバー」を除くショッピングモールにていくつかの商品を選択する場合、当該価格が「共同購入サーバー」に登録されているかどうかに拘らず、当該商品の価格を含む販売情報は「共同購入サーバー」に転送される。
【００４４】
「本発明における参加者」による共同購入のステップは図１に示されている。
【００４５】
共同購入の準備ステップは次を含む：
【００４６】
‐  各バイヤーと売り手が本発明の共同購入のメンバーとして登録するステップ。
【００４７】
‐  バイヤーが当該共同購入に参加するため「クライアントモジュール」をダウンロードするステップ；
【００４８】
‐  売り手がその商品と「価格を含む販売条件」を登録するステップ。
【００４９】
各バイヤーと売り手は当該ステップを介して共同購入の組織を形成する。
【００５０】
各バイヤーと売り手を登録するための当該サブステップは、電子商取引の従来／現行方式に類似する。当該サブステップは次を含む：
【００５１】
‐  「仲介者」が、参加を希望する各バイヤーと売り手から「参加申請書」を受信するステップ。
【００５２】
‐  「仲介者」が当該「参加申請書」を適合性に基づいて承認するステップ。
【００５３】
‐  「仲介者」が、合意に従って「共同購入サーバー」を利用することを承認された各バイヤーと売り手と契約するステップ。
【００５４】
当該合意には、配当金、手数料、メンバーの権利と義務、支払方法、当該メンバーが守らなければならない条件などの本発明の条件が含まれ得る。
【００５５】
当該合意に同意するバイヤーと売り手が当該共同購入のメンバーになるステップ。
【００５６】
売り手は、「登録された売り手」または未登録の売り手に分類される。
【００５７】
当該未登録の売り手は、以下の過程により当該共同購入のメンバーとして登録を行うことができる：
【００５８】
１）バイヤーが特定のショッピングモールにて商品を選ぶ。
【００５９】
２）バイヤーのＰＣが当該商品の情報を「共同購入サーバー」に送信する。
【００６０】
３）当該商品の売り手が当該共同購入メンバーとして登録されていない場合、「共同購入サーバー」は当該売り手に対し当該共同購入への参加を提案する電子メールを自動的に送信する。
【００６１】
４）当該提案を受信する売り手は、当該提案に同意する場合に登録された売り手となるが、当該提案に同意しない場合には引き続き未登録の売り手にとどまる。
【００６２】
５）「共同購入サーバー」は、同意しない売り手に対し、不利をもたらし得る。例えば、同意しない売り手はバイヤーのＰＣに表示されなくなる。
【００６３】
商品及びサービス登録のサブステップ；ここでは、売り手が「共同購入サーバー」にログインし、その商品及び価格の登録や変更を行うことができる。
【００６４】
売り手は、「共同購入サーバー」を介して統計的にバイヤーの購入パターンや購入量を情報を得ることができることから、他の売り手と競合するために、その価格をはじめとする「価格を含む販売条件」の登録や変更を行うことができる。
【００６５】
当該「価格を含む販売条件」には、価格、期日（納期・支払）、マイル数、配送料の有無、消耗品供給の有無などが含まれる。
【００６６】
売り手は、各バイヤーの購入量に応じた「価格を含む販売条件」を登録することができる。例えば、売り手は、商品別に様々な価格を登録して、購買量の多いバイヤーに低価格を提供することもできる。
【００６７】
また、売り手は、クリスマス、聖日、販売シーズンなどの特別な日に特別価格を登録することができる。売り手は、各バイヤーの一定期間の購入量に応じて有利な価格を登録することができる。
【００６８】
前記共同購入サーバーは、各バイヤーに適合する「価格を含む販売条件」を各バイヤーのＰＣに表示する。その結果、各バイヤーは、購入量または購入頻度に応じて他のバイヤーとは異なる価格が提供される。
【００６９】
前記共同購入サーバーは、上記のように各バイヤーと売り手が当該共同購入のメンバーとして登録することにより組織を構成する。バイヤーの当該組織と売り手の当該組織は、「共同購入サーバー」のデータベースに表示される。バイヤーの当該組織は売り手に影響を与える役割を果たし、売り手の当該組織は購入情報としての役割を果たす。
【００７０】
本発明では、「共同購入サーバー」が売り手の情報と「価格を含む販売条件」を取得し、バイヤーがそれらの情報を選択し、他のバイヤーと共有することができるので、バイヤーは最も有利な売り手から購入することができる。
【００７１】
換言すると、「仲介者」は最適の売り手を見つける努力をする必要がなく、バイヤーは、売り手相互間または「仲介者」と売り手間の相互協定を含む売り手の影響を克服することができる。
【００７２】
「仲介者」は、メンバーとして承認されたバイヤーが「クライアントモジュール」を「共同購入サーバー」からダウンロードしてインストールすることを可能にする。
【００７３】
当該「クライアントモジュール」は起動時に実行されることからランダムアクセスメモリ（ＲＡＭ）内に存在することができるが、バイヤーが「クライアントモジュール」をアイコンをクリックする方法で実行しても同様である。バイヤーが「クライアントモジュール」を当該方法で実行する場合、バイヤーのＰＣがインターネットを介して「共同購入サーバー」に接続されているため、バイヤーは本発明に係る共同購入の準備を完了する。
【００７４】
売り手は、上記のバイヤーと同様に、「クライアントモジュール」をその便宜のために使用することができるが、商品の登録と統計データの閲覧が「共同購入サーバー」に直接ロギングすることで可能であるため、売り手は、「クライアントモジュール」なしに本発明に係る共同購入により販売を行うこともできる。
【００７５】
購入の意向を登録するステップは、バイヤーが所望の商品をショッピングカートに入れるステップ、またはバイヤーが今後購入する予定の商品を欲しい物のリストに入れるステップである。
【００７６】
商品を前記ショッピングカートまたは前記欲しい物のリストに入れる方法には以下の過程が含まれる。
【００７７】
１）バイヤーが特定のショッピングモールにて所望する商品を検索し、選択した商品を当該ショッピングモールのショッピングカートまたは欲しい物のリストに入れる過程。
【００７８】
２）当該商品の情報、価格をはじめとする「価格を含む販売条件」及び当該売り手の情報が「共同購入サーバー」に送信される過程。
【００７９】
購入の意向を登録する別の方法は、「クライアントモジュール」がバイヤーにより作成された購買発注を送信することを特徴とする方法である。
【００８０】
当該購買発注は、前記バイヤーによる購入承認、前記バイヤーによる支払承認などに使用することができる。
【００８１】
購入の意向を登録するさらに別の方法は、バイヤーが「共同購入サーバー」に登録されていない特定のショッピングモールに移動し、バイヤーが当該ショッピングモールの購買プロセスに従って商品を当該ショッピングモールのショッピングカートまたは欲しい物のリストに入れることを特徴とする方法であって、バイヤーが、登録された売り手によって「共同購入サーバー」に登録された商品を購入することと並行して行われることを特徴とする方法である。
【００８２】
購入の意向を登録する当該ステップ中に、バイヤーが商品を当該ショッピングモールのショッピングカートまたは欲しい物のリストに入れると、当該商品の情報、価格をはじめとする「価格を含む販売条件」及び当該売り手の情報が「共同購入サーバー」に自動的に送信される。
【００８３】
登録方法には以下のような方法が含まれる。
【００８４】
１）バイヤーが商品を特定のショッピングモールのショッピングモールまたは欲しい物のリストに入れるとすぐに自動的に登録される方法。
【００８５】
２）バイヤーが商品を選択するとすぐに自動的に登録される方法。
【００８６】
３）バイヤーが登録コマンドを入力するとすぐに自動的に登録される方法。
【００８７】
当該「特定のショッピングモール」には、「共同購入サーバー」に登録された売り手と未登録の売り手とが含まれる。
【００８８】
選択された売り手が「共同購入サーバー」に登録されていない場合、「共同購入サーバー」は参加を提案するメールを自動的に送信する。
【００８９】
よって、「共同購入サーバー」のデータベースは、「未登録の売り手」を登録する当該方法により追加される売り手情報に起因して、連続的に拡大し得る。
【００９０】
当該データベースには以下の特徴がある。
【００９１】
１）バイヤーが選択した各商品が標準商品カタログの商品の１つと同じかどうかを特定することができる。
【００９２】
２）バイヤーに対して商品を通常のショッピングモールのように表示することができる。
【００９３】
３）バイヤーが商品を検索検討できる。
【００９４】
４）バイヤーが価格を含む各販売条件を比較できる。
【００９５】
５）すべての参加バイヤーの購入意向を統合することによる統計結果が共同購入量で表示されるので、売り手に対して影響力がある。
【００９６】
売り手を抽出するステップは、「共同購入サーバー」にて実行され、
【００９７】
１）商品名の異なる場合でも同商品であり得るため、「共同購入サーバー」が前記ステップで登録された商品を特定する過程と、
【００９８】
２）「共同購入サーバー」が、「価格を含む販売条件」においてバイヤーに有利な順序で売り手リストを作成する過程とを含む。売り手が登録・未登録に拘らず行われる。
【００９９】
特定のバイヤーによって選択された商品を持つ売り手が「共同購入サーバー」に登録されていない場合、「共同購入サーバー」は前記バイヤーに対し、本発明に係る共同購入方式ではなく、個別購入方式を利用させる。当該事例は、本発明に係る共同購入法によるかどうかに拘らず、前記バイヤーが同一商品について各売り手の「価格を含む販売条件」を比較することで最適な売り手を選択する場合として説明することができる。よって、当該事例では、本発明に係る共同購入法は「価格の比較」の役割を果たす。
【０１００】
売り手を抽出するステップは、「共同購入サーバー」が、購入の意向を登録するステップで登録された商品を販売する売り手を抽出し、「価格を含む販売条件」（通常には価格）においてバイヤーに有利な順序で売り手リストを作成することを特徴とするステップである。
【０１０１】
「共同購入サーバー」は、当該売り手リストを、登録された売り手のみを含むリストとしても、未登録の売り手のみを含むリストとしても作成することができる。バイヤーが未登録の売り手により運営される特定ショッピングモールにて商品を選択する場合でも、かかる売り手の情報は当該売り手リストに含まれる。
【０１０２】
該当基準よりも短い期間しか存続できない売り手、ないしは登録解除されたにも拘らず活動を継続していることが別のバイヤーにより発覚された売り手は、登録された売り手を保護するために、データベースから除外され得る。
【０１０３】
価格を除く期日（納期・支払）、配送料、関連する消耗品の供給、マイル数の有無などの「価格を含む販売条件」は通常類似することから、前記売り手リストは通常価格に基づいて作成されるか、時には、価格を除いては同じ「価格を含む販売条件」下の価格に基づいて作成される。
【０１０４】
売り手情報を送信するステップは、「共同購入サーバー」が当該売り手リストと、商品名や配送先を含む選択された商品の情報をバイヤーのＰＣに送信することを特徴とするステップである。
【０１０５】
本発明に係る共同購入が当該情報を送信することは必要不可欠でないため、「共同購入サーバー」により当該情報を送信することは不要である。
【０１０６】
本発明に係る共同購入に関する統計情報は次を含む：  
【０１０７】
登録バイヤー数
【０１０８】
一定期間のバイヤー数
【０１０９】
一定期間の平均購入量
【０１１０】
最低価格、最高価格、平均価格などを含む価格情報  さらに、
【０１１１】
販売情報には当該統計情報が含まれ得る。
【０１１２】
商品に関する情報には、価格、期日（納期・支払）、または地域などの販売条件からなる売り手リストが含まれ得る。
【０１１３】
販売条件に関する当該情報は各バイヤーと売り手のＰＣ上にポップアップウィンドウとして表示可能である。
【０１１４】
様々な購入方式の中から１つの購入方式を選択するステップは、登録された売り手から最適の売り手を選択するか、または登録された売り手がない場合または登録された売り手から購入することが不可能である場合または本発明に係る共同購入にメリットがない場合または短納期のような特別事例の場合または長期的な関係がある場合には個別購入を選択することを意味する、バイヤーが共同購入方式を選択することを特徴とするステップである。    
【０１１５】
バイヤーは、便宜のためにＰＣが常に共同購入を自動的に選択するように設定することができる。
【０１１６】
購入契約を登録するステップは、前記ステップで選択された結果が「共同購入サーバー」に送信されるので、「共同購入サーバー」が前記購入契約を受信することを特徴とするステップである。
【０１１７】
通常の電子商取引では、各バイヤーと売り手は、以下の２つのステップにより契約を締結する。
【０１１８】
１．売り手が、その商品の「価格を含む販売条件」を登録することにより、見積りを行うステップ。
【０１１９】
２．バイヤーが、かかる商品をショッピングカートに入れることにより、その見積りを受け入れるステップ。
【０１２０】
本発明に係る共同購入では、バイヤーが、個別購入を選択する場合に未登録の売り手と契約するか、共同購入を選択する場合には登録された売り手と契約することができる。
【０１２１】
すべてのデータは、バイヤーが個別購入を選択するか、共同購入を選択するかに拘らず、できる限り多くのデータを収集するために「共同購入サーバー」に送信される必要がある。
【０１２２】
さもないと、個別購入契約が不要の場合、共同購入契約のみが送信され得る。
【０１２３】
各バイヤーの各購入により蓄積されたデータは、一定期間の購入量を売り手に示すために使用される。
【０１２４】
売り手は、当該蓄積データに基づき、高い頻度で購入するバイヤーに対してマイルポイントなどの利点を与えることができる。
【０１２５】
取引を行うため契約を取り交わすバイヤーないしは売り手に通知するステップは、次を特徴とするステップである。
【０１２６】
「共同購入サーバー」が、購入の意向、手数料、価格、バイヤーの住所を含む共同購入取引データを、有効な契約を締結したバイヤーないしは売り手に転送する。
【０１２７】
その理由は、バイヤーと売り手がかかるデータを以下のステップで利用可能にするためである。
【０１２８】
「勘定の決済」には以下のステップが含まれる：
【０１２９】
１）バイヤーが購入した商品の支払いを行うステップ。
【０１３０】
２）「共同購入サーバー」が手数料を確保するステップ。
【０１３１】
３）累積マイル数やポイントを含むその他を処理するステップ。
【０１３２】
本発明に係る共同購入には、次を含む勘定を決済する機能が含まれ得る：
【０１３３】
１）バイヤーにより選択された方式が共同購入である場合、その選択された方式（結果）は「共同購入サーバー」に転送され、さらにバイヤーは商品に対する支払を、「購入契約を登録するステップ」中に「共同購入サーバー」の運営を担当する「仲介者」に送金する。
【０１３４】
２）「共同購入サーバー」は、バイヤーが「取引を行うために契約のバイヤーないしは売り手に通知するステップ」中に商品を受け取ったことを「共同購入サーバー」に通知する時点で、共同購入の手数料を考慮に入れて売り手との勘定を決済する。
【０１３５】
バイヤーと売り手が口座を設置後、バイヤーが商品を受領した時点または契約が発効した時点で、「共同購入サーバー」が売り手に支払いを自動送金することも可能である。
【０１３６】
「仲介者」は、「共同購入サーバー」に売り手として登録し、かつ本発明に対応するショッピングモールをインターネットで開設する売り手であり得る。
【０１３７】
当該販売は、卸売りマートで表示されているプライベートブランド販売に類似する。
【０１３８】
本発明には「サブグループによる共同購入」が含まれ得る。
【０１３９】
サブグループの仲介者例は、通常、従来の市場における売り手の組合を含む「住民の代表会議」である。
【０１４０】
当該サブグループのメンバーが商品を購入する場合、かかるメンバーはサブグループのメンバーとして登録するため、「共同購入サーバー」は、かかる取引をあたかもサブグループが購入したかのように登録する。
【０１４１】
サブグループの仲介者は配送先に責任がある。
【０１４２】
サブグループを介して本発明に係る共同購入が行われる場合、売り手は、配送先が１つであるため配送作業に手間がかからず、バイヤーは、大きな購入量のため、より安い価格で購入することができる。
（産業上の利用の可能性）
【０１４３】
本発明はインターネットを利用する電子商取引に利用可能である。
【図１】
2012506086.tif 000003
【国際調査報告】
2012506086.tif 000004
2012506086.tif 000005
2012506086.tif 000006